(57)【要約】【課題】本発明は、従来にない画期的な作用効果を発揮するズボン仕上げ装置を提供することを目的とする。【解決手段】ズボン１の腰部２の内側に配され、外方に拡開して当該腰部２を突っ張ることでズボン１を吊り下げ状態で支持するズボン支持部３と、このズボン支持部３で支持されたズボン１を外側から押圧してタック４，ファスナー，ポケットなどの部位の仕上げ処理を行う押圧部５とを有するズボン仕上げ装置であって、前記ズボン支持部３は、第一部材６に対して接離自在に移動し得る第二部材７を設け、この第一部材６と第二部材７とをズボン１の腰部２の内側に配して第一部材６に対して第二部材７を外方へ移動した際、ズボン１の腰部２を突っ張るように設けて構成されており、少なくとも第二部材７は第一部材６の対向位置に複数並設されているものである。【選択図】　　　　図１
2004124284.tif 000002
【特許請求の範囲】
【請求項１】
ズボンの腰部の内側に配され、外方に拡開して当該腰部を突っ張ることでズボンを吊り下げ状態で支持するズボン支持部と、このズボン支持部で支持されたズボンを外側から押圧してタック，ファスナー，ポケットなどの部位の仕上げ処理を行う押圧部とを有するズボン仕上げ装置であって、前記ズボン支持部は、第一部材に対して接離自在に移動し得る第二部材を設け、この第一部材と第二部材とをズボンの腰部の内側に配して第一部材に対して第二部材を外方へ移動した際、ズボンの腰部を突っ張るように設けて構成されており、少なくとも第二部材は第一部材の対向位置に複数並設されていることを特徴とするズボン仕上げ装置。
【請求項２】
請求項１記載のズボン仕上げ装置において、前記第一部材及び第二部材はズボンの腰部形状に合わせて湾曲形状に設けられていることを特徴とするズボン仕上げ装置。
【請求項３】
請求項１，２いずれか１項に記載のズボン仕上げ装置において、前記第二部材は前記第一部材の対向位置にして移動方向に所定間隔を介して複数並設されていることを特徴とするズボン仕上げ装置。
【発明の詳細な説明】
【０００１】
【発明の属する技術分野】
本発明は、ズボン仕上げ装置に関するものである。
【０００２】
【従来の技術及び発明が解決しようとする課題】
従来から、ズボンのタック，ファスナー，ポケットなどの部位の仕上げ処理を行う為のズボン仕上げ装置（以下、従来例という。）が提案されている。
【０００３】
この従来例は、ズボンの腰部の内側に配され、外方に拡開して当該腰部を突っ張ることでズボンを吊り下げ状態に支持するズボン支持部と、このズボン支持部で支持されたズボンを外側から押圧してタック，ファスナー，ポケットなどの部位の仕上げ処理を行う押圧部とを有する構造である。
【０００４】
ところで、この従来例に係るズボン支持部は、第一部材に対してシリンダー機構の伸縮動作により接離自在に移動し得る第二部材を設け、この第一部材と第二部材とをズボンの腰部の内側に配した状態として第一部材に対して第二部材を外方へ移動した際、ズボンの腰部を突っ張るように設けて構成されている。
【０００５】
ところが、このズボン支持部で、例えば紳士用のズボンを仕上げた後に婦人用のズボンを支持させるといったサイズが大きく異なるズボンを続けて支持させようとする場合、第二部材の移動距離が長くなる為、それだけ第二部材の移動を待つ時間が多くなり、よって、作業効率が悪く作業性に問題点があると指摘される（仮に高速で動くシリンダー機構を採用すれば、その勢いでズボンを傷めてしまう問題点やコスト高となる問題点が懸念される。）。
【０００６】
本出願人は、上述の問題点に着目し、従来にない画期的な作用効果を発揮するズボン仕上げ装置を開発した。
【０００７】
【課題を解決するための手段】
添付図面を参照して本発明の要旨を説明する。
【０００８】
ズボン１の腰部２の内側に配され、外方に拡開して当該腰部２を突っ張ることでズボン１を吊り下げ状態で支持するズボン支持部３と、このズボン支持部３で支持されたズボン１を外側から押圧してタック４，ファスナー，ポケットなどの部位の仕上げ処理を行う押圧部５とを有するズボン仕上げ装置であって、前記ズボン支持部３は、第一部材６に対して接離自在に移動し得る第二部材７を設け、この第一部材６と第二部材７とをズボン１の腰部２の内側に配して第一部材６に対して第二部材７を外方へ移動した際、ズボン１の腰部２を突っ張るように設けて構成されており、少なくとも第二部材７は第一部材６の対向位置に複数並設されていることを特徴とするズボン仕上げ装置に係るものである。
【０００９】
また、請求項１記載のズボン仕上げ装置において、前記第一部材６及び第二部材７はズボン１の腰部２形状に合わせて湾曲形状に設けられていることを特徴とするズボン仕上げ装置に係るものである。
【００１０】
また、請求項１，２いずれか１項に記載のズボン仕上げ装置において、前記第二部材７は前記第一部材６の対向位置にして移動方向に所定間隔を介して複数並設されていることを特徴とするズボン仕上げ装置に係るものである。
【００１１】
【発明の作用及び効果】
本発明は、ズボン１の腰部２の内側にズボン支持部３を構成する第一部材６と第二部材７とを配し、この第一部材６に対して第二部材７を離れる方向に移動させて当該腰部２を突っ張ることでズボン１を吊り下げ状態で支持し、このズボン支持部３で支持されたズボン１に対して押圧部５を外側から押圧することでタック４，ファスナー，ポケットなどの部位の仕上げ処理が行われる。
【００１２】
ところで、本発明は、ズボン支持部３を構成する少なくとも第二部材７を第一部材６の対向位置に複数並設しており、このことから、例えば紳士用のズボン１と婦人用のズボン１、大人子供の相違や体型の相違など、種々提案されるズボン１の腰部２のサイズに迅速に対応することができ、即ち、ズボン１の腰部２のサイズに応じて第一部材６から丁度良い距離だけ離れた第二部材７を選択してズボン１を支持させることができる。
【００１３】
従って、ズボン支持部３にズボン１を支持させる際、前述した従来例に比して第二部材７の移動量は少なくて済むことになり、ズボン支持部３においてズボン１を支持する作業が迅速に行われることになるから、仕上げ作業全体の作業性が飛躍的に向上し得ることになり、しかも、簡易構造故にコスト安に量産できることになる。
【００１４】
以上のように、本発明は、従来にない画期的な作用効果を発揮し、極めて商品価値の高いものになる。
【００１５】
【発明の実施の態様】
図面は本発明の一実施例を図示したものであり、以下に説明する。
【００１６】
符号１はズボン、２は腰部、４はタックである。
【００１７】
本実施例は、下部に接地部８ａが設けられ、所定高さ（ズボン１を吊り下げ状態で支持する程度の高さ）を有する基体８の上部に、ズボン１を吊り下げ状態で支持するズボン支持部３と、このズボン支持部３で支持されたズボン１を外側から押圧してタック４，ファスナー，ポケットの仕上げ処理を行う押圧部５とを設けている。
【００１８】
具体的には、ズボン支持部３は、図１，２に図示したように第一部材６と、この第一部材６に対して接離自在に移動し得る第二部材７とで構成され、この第一部材６と第二部材７とをズボン１の腰部２の内側に配して第一部材６に対して第二部材７を外方へ移動した際、ズボン１の腰部２を突っ張るように設けて構成されている。
【００１９】
第一部材６は、適宜な熱伝導性の高い金属製の部材を板状に形成したものであり、外方（装置前方）に向けて湾曲状（平面視円弧形状）に形成されている。これは、支持するズボン１の腰部２形状に順応する為の構成である。尚、第一部材６も第二部材７と同様、該第二部材７に対して外方に移動するようにしても良く、第二部材７の対向位置にして移動方向に所定間隔を介して複数並設するようにしても良い。
【００２０】
この第一部材６は、基体８の上部先端位置に垂設され、更に、その内側には図示省略のスチーム供給装置から延設されるパイプ９が配設されており、このパイプ９から噴出されるスチームにより第一部材６は加熱されるとともに、ズボン支持部３で支持されるズボン１の腰部２の内側にもスチームが供給されるように構成されている。
【００２１】
また、第一部材６の上方位置にして基体８の上部先端位置には、温風供給装置１０からの温風が供給される温風供給部１１が設けられており、ズボン支持部３で支持されるズボン１の腰部２の内側に温風が供給されるように構成されている。
【００２２】
第二部材７は、適宜な金属製の部材を板状に形成したものであり、前記第一部材６とは反対方向（装置後方）に向けて湾曲状（平面視円弧形状）に形成されている。これは、支持するズボン１の腰部２形状に順応する為の構成である。
【００２３】
この第二部材７は、前記第一部材６の対向位置に該第一部材６に対して接離自在に移動し得るように設けられている。
【００２４】
具体的には、第二部材７は、基体８の上部に設けた適宜な駆動源１２に連設されるシリンダー体１３の長さ方向に所定間隔を介して２枚並設状態で垂設されており、このシリンダー体１３は基体８の接地部８ａに設けた操作ペダル１４の踏み操作により図３中ａ方向に伸縮作動し、このシリンダー体１３の伸縮作動に伴い各第二部材７は第一部材６に対して接離自在に移動し得るように構成されている。
【００２５】
従って、この各第二部材７が第一部材６に対して離れる方向へ移動することで、異なるサイズのズボン１の腰部２を突っ張って吊り下げ状態で支持し得ることになる（図４，５参照）。
【００２６】
押圧部５は、図２に図示したように基体８の上部先端位置にしてズボン支持部３の上方位置に押圧パッド１５を擺動自在に設けたものであり、この押圧パッド１５は操作ハンドル１６の上下操作により擺動操作でき、この押圧パッド１５を下げた際、ズボン支持部３で支持されるズボン１を第一部材６と挟み込んだ状態で押圧し得るように構成されている。
【００２７】
また、押圧部５は、図６に図示したように基体８に対して水平方向にして平面視円弧方向にスライド移動自在に設けられており、ズボン１の左右に設けられるタック４やポケット、正面に設けられるファスナーなどの部位を押圧できるように構成されている。
【００２８】
符号１７はズボン支持部で吊り下げ状態で支持されたズボンの裾を挟持する裾挟持部、１８は適宜膨縮してズボン１を内側から保形支持するエアバックである。
【００２９】
以上の構成からなる本実施例を使用したズボン１の仕上げ処理について説明する。
【００３０】
ズボン１をズボン支持部３で支持する際、ズボン１の腰部２のサイズを考慮して、最適な第二部材７を選択し、この第二部材７と第一部材との周囲にズボン１の腰部２を被嵌状態として配設し、操作ペダル１４を踏み操作して第二部材７を移動させて突っ張らせて吊り下げ状態とする。この吊り下げ状態のズボン１を裾挟持部１７で挟持させた状態で降下させて上下方向にも突っ張らせる。
【００３１】
続いて、操作ハンドル１６を操作して押圧部５を下方に擺動させてズボン１のタック４，ファスナー，ポケットなどの各部位を押圧部５で外側から押圧する。
【００３２】
続いて、スチームを供給してズボン１の内側から加熱するとともに（この際、ズボン１の腰部２の内側にスチームが供給される。）、このスチームの供給が終了すると押圧部５は上方へ自動擺動する。
【００３３】
続いて、温風供給装置１０から温風をズボン１の腰部２の内側に供給して乾燥させることで作業は完了する。
【００３４】
本実施例は上述のように構成したから、例えばサイズの異なるズボン１を連続してズボン支持部３に支持させる際、前述した従来例に比して第二部材７の移動量は少なくて済むことになり、ズボン支持部３においてズボン１を支持する作業が迅速に行われることになるから、仕上げ作業全体の作業性が飛躍的に向上し得ることになり、しかも、簡易構造故にコスト安に量産できることになる。
【００３５】
尚、本発明は、本実施例に限られるものではなく、各構成要件の具体的構成は適宜設計し得るものである。
【図面の簡単な説明】
【図１】本実施例を示す正面図である。
【図２】本実施例に係る要部を示す拡大正面図である。
【図３】本実施例に係る要部を示す斜視図である。
【図４】本実施例に係る要部の概略動作説明平面図である。
【図５】本実施例に係る要部の概略動作説明平面図である。
【図６】本実施例を示す平面図である。
【図７】本実施例の使用状態説明図である。
【符号の説明】
１　ズボン
２　腰部
３　ズボン支持部
４　タック
５　押圧部
６　第一部材
７　第二部材
【図１】
2004124284.tif 000003
【図２】
2004124284.tif 000004
【図３】
2004124284.tif 000005
【図４】
2004124284.tif 000006
【図５】
2004124284.tif 000007
【図６】
2004124284.tif 000008
【図７】
2004124284.tif 000009